(57)【要約】【課題】放送信号の処理に用いられる各種装置の配置状態に制約を与えることなく、チューナ回路へのノイズ混入を極力防止し得るものであるとともに、映像表示装置の製造コストを抑えることが可能な受信システムを提供する。【解決手段】デジタル放送の放送波を受信し、該放送による映像または音声信号を取得する受信システムにおいて、チューナ回路と、前記チューナ回路との接続端子を有する受信装置と、を備え、該受信装置は、復調処理を行うデジタル復調回路部と、圧縮解除を行うデジタル回路部と、デジタル−アナログ変換を行う映像音声出力回路部と、これら各回路部に電力を供給する電源部と、の各々が１枚の基板に配置されて備えられているとともに、前記デジタル復調回路部、デジタル回路部、映像音声出力回路部、および電源部を覆う一方、前記第１端子を覆わないように、シャーシが設けられている受信システムとする。【選択図】図２
2008219456.tif 000002
【特許請求の範囲】
【請求項１】
デジタル放送の放送波を受信し、該放送による映像または音声信号を取得する受信システムにおいて、
前記放送波を所定の周波数で検波し、中間周波数の信号に変換するチューナ回路と、
前記チューナ回路に接続される第１端子を有し、該第１端子を介して前記中間周波数の信号を受取る受信装置と、を備え、
該受信装置は、
前記中間周波数の信号が入力され、該信号に復調処理を施すデジタル復調回路部と、
前記復調処理のなされた信号に施されている圧縮処理を解除するデジタル回路部と、
前記圧縮処理の解除により生成されたデジタルの映像または音声信号を、アナログの映像または音声信号に変換する映像音声出力回路部と、
前記デジタル復調回路部、デジタル回路部、および映像音声出力回路部に電力を供給する電源部と、の各々が１枚の基板に配置されて備えられているとともに、
前記デジタル復調回路部、デジタル回路部、映像音声出力回路部、および電源部を覆う一方、前記第１端子を覆わないように、シャーシが設けられていることを特徴とする受信システム。
【請求項２】
前記基板における配置について、
前記デジタル復調回路部、電源部、デジタル回路部、および映像音声出力回路部の各々は、
前記第１端子に近い方から、デジタル復調回路部、電源部、デジタル回路部、映像音声出力回路部、の順に配置されていることを特徴とする請求項１に記載の受信システム。
【請求項３】
前記チューナ回路は、前記シャーシと電気的に接続され、該シャーシをアースとしていることを特徴とする請求項１または請求項２に記載の受信システム。
【請求項４】
前記基板のアースパターンと前記シャーシは、該基板の片面側のみにおいて、互いにはんだ接続がなされていることを特徴とする請求項１から請求項３の何れかに記載の受信システム。
【請求項５】
前記はんだ接続は、前記基板の裏面側でなされていることを特徴とする請求項４に記載の受信システム。
【請求項６】
前記はんだ接続は、複数箇所にてなされていることを特徴とする請求項４または請求項５に記載の受信システム。
【請求項７】
前記受信装置は、前記アナログの映像または音声信号を外部に出力する第２端子を備え、
前記基板は、実装面が略長方形であり、
前記第１端子は、該実装面の一辺である第１辺に臨むように配置され、
前記第２端子は、該第１辺に直交している第２辺から、該第２辺と略直角方向に突出するように配置されていることを特徴とする請求項１から請求項６の何れかに記載の受信システム。
【請求項８】
前記基板のアースパターンと前記シャーシは、該基板の片面側のみにおいて、互いにはんだ接続がなされており、
前記第２端子は、該片側面のみにおけるはんだ接続によって、前記基板に固定されていることを特徴とする請求項７に記載の受信システム。
【発明の詳細な説明】
【技術分野】
【０００１】
本発明は、放送波を受信し、放送信号に所定の処理を施す受信システムに関する。
【背景技術】
【０００２】
放送波を受信する従来の受信システムについて、その一例に関するブロック回路図を図５に示す。受信システム５００における受信装置７００のチューナ回路部７０１の入力端子側には、アンテナ６００が接続されており、チューナ回路部７０１から出力された中間周波数の信号は、映像表示装置８００側に実装されたデジタル復調回路部８０１のデジタル復調ＩＣ８０２に入力される。
【０００３】
またデジタル復調ＩＣ８０２は、デジタル回路部８０３の映像音声処理ＩＣ８０４に接続され、映像音声処理ＩＣ８０４は、映像音声処理用メモリ８０５、受信装置の制御コードを保存するプログラム用メモリ８０６、表示処理部８０８および音声処理部８０９に各々接続さている。
【０００４】
また電源部８０７は、チューナ回路部７０１、デジタル復調ＩＣ８０２、映像音声処理ＩＣ８０４、映像音声処理用メモリ８０５、プログラム用メモリ８０６、表示処理部８０８および音声処理部８０９の各々に電力を供給する。
【０００５】
次に、当該受信システム５００の動作内容について簡単に説明する。アンテナ６００で受信された高周波信号を、受信装置７００のチューナ回路部７０１に入力する。そしてこの高周波信号を、チューナ回路部７０１で所定の周波数で検波し、中間周波数の信号に変換する。次にこの中間周波数の信号を、映像表示装置８００側に実装されたデジタル復調回路部８０１のデジタル復調ＩＣ８０２に入力し、圧縮されたデジタルの映像・音声信号に変換する。
【０００６】
次に、この圧縮されたデジタルの映像・音声信号を、デジタル回路部８０３の映像音声処理ＩＣ８０４に入力し、映像音声処理用メモリ８０５を用いて、伸張したデジタルの映像・音声信号に変換する。次に、この伸張したデジタルの映像・音声信号を、表示処理部８０８および音声処理部８０９の各々に入力し、映像・音声を生成する。
【特許文献１】特開２０００−６８６７３号公報
【特許文献２】特開平１１−３４１３７５号公報
【発明の開示】
【発明が解決しようとする課題】
【０００７】
上述した従来技術によれば、チューナ回路部７０１にノイズを混入させないための対策として、デジタル復調ＩＣ８０２、映像音声処理ＩＣ８０４、映像音声処理用メモリ８０５、およびプログラム用メモリ８０６などの部品レイアウト（配置状態）に、制約が発生することがあった。
【０００８】
また、表示処理部８０８や音声処理部８０９から発生する不要輻射やノイズの対策だけでなく、デジタル復調ＩＣ８０２、映像音声処理ＩＣ８０４、映像音声処理用メモリ８０５、およびプログラム用メモリ８０６から発生する不要輻射やノイズの対策についても、映像表示装置８００の側で実施される必要があった。そのため、映像表示装置８００の側にシールドを追加する必要が生じること等により、製造コストが増大することがあった。
【０００９】
また、表示処理部８０８や音声処理部８０９による発熱対策だけでなく、デジタル復調ＩＣ８０２、映像音声処理ＩＣ８０４、映像音声処理用メモリ８０５、プログラム用メモリ８０６による発熱対策についても、映像表示装置８００の側で実施される必要があった。そのため、映像表示装置８００の基板の面積を広くすることや、放熱板を追加すること等が必要となり、製造コストの増大を招くことがあった。
【００１０】
そこで本発明は上記の問題点に鑑み、放送信号の処理に用いられる各種装置の配置状態に制約を与えることなく、チューナ回路へのノイズ混入を極力防止し得るものであるとともに、映像表示装置の製造コストを抑えることが可能な受信システムの提供を目的とする。
【課題を解決するための手段】
【００１１】
上記目的を達成するため、本発明にかかる受信システムは、デジタル放送の放送波を受信し、該放送による映像または音声信号を取得する受信システムにおいて、前記放送波を所定の周波数で検波し、中間周波数の信号に変換するチューナ回路と、前記チューナ回路に接続される第１端子を有し、該第１端子を介して前記中間周波数の信号を受取る受信装置と、を備え、該受信装置は、前記中間周波数の信号が入力され、該信号に復調処理を施すデジタル復調回路部と、前記復調処理のなされた信号に施されている圧縮処理を解除するデジタル回路部と、前記圧縮処理の解除により生成されたデジタルの映像または音声信号を、アナログの映像または音声信号に変換する映像音声出力回路部と、前記デジタル復調回路部、デジタル回路部、および映像音声出力回路部に電力を供給する電源部と、の各々が１枚の基板に配置されて備えられているとともに、前記デジタル復調回路部、デジタル回路部、映像音声出力回路部、および電源部を覆う一方、前記第１端子を覆わないように、シャーシが設けられている構成（第１の構成）とする。
【００１２】
本構成によれば、放送信号の処理に用いられる各種装置（より具体的には、デジタル復調回路部、デジタル回路部、映像音声出力回路部、および電源部）は、受信装置において、シャーシに覆われるように配置されている。そのため、これらの装置の配置状態に制約を与えることなく、シャーシのシールド効果によって、チューナ回路にノイズが混入することを極力防止することが可能となる。
【００１３】
またこれら放送信号の処理に用いられる各種装置は、受信装置に設けられているため、映像表示装置には上記の各種装置を備える必要がない。そのため映像表示装置側において、上記の各種装置を設けることに伴う製造コストの増大を抑えることが可能となる。なお第１端子はシャーシに覆われていないため、該端子とチューナ回路との接続は、シャーシによって妨げられないようになっている。
【００１４】
また上記第１の構成において、前記基板における配置について、前記デジタル復調回路部、電源部、デジタル回路部、および映像音声出力回路部の各々は、前記第１端子に近い方から、デジタル復調回路部、電源部、デジタル回路部、映像音声出力回路部、の順に配置されている構成（第２の構成）としてもよい。
【００１５】
受信装置において、放送波の受信により得られる放送信号は、第１端子、デジタル復調回路部、デジタル回路部、映像音声出力回路部の順に伝送されるのが通常である。そこで本構成によれば、基板において、このような放送信号の流れに沿った配置となっているため、放送信号の伝送効率を良いものとすることができる。また、デジタル復調回路部とデジタル回路部との間に、電源部を介在させた配置としているから、両者間における電磁的ノイズの抑制を容易なものとすることができる。
【００１６】
また上記第１または第２の構成において、前記チューナ回路は、前記シャーシと電気的に接続され、該シャーシをアースとしている構成（第３の構成）としてもよい。本構成によれば、シャーシをチューナ回路におけるアースとしているから、アースのための装置を別途設けることを省略することが可能となる。
【００１７】
また上記第１から第３の何れかの構成において、前記基板のアースパターンと前記シャーシは、該基板の片面側のみにおいて、互いにはんだ接続がなされている構成（第４の構成）としてもよい。またより具体的には、前記はんだ接続は、前記基板の裏面側でなされている構成（第５の構成）としてもよい。
【００１８】
本構成によれば、受信装置の製造工程において、基板のアースパターンとシャーシとのはんだ接続を実行するにあたり、基板を裏返す工程を省略することが可能となる。そのため受信装置の製造コストを抑えることが可能となる。なお裏面とは、基板面とシャーシのフタ（基板の実装面と略平行な部分）との距離が小さくなる側の面を示す。
【００１９】
また上記第４または第５の構成において、前記はんだ接続は、複数箇所にてなされている構成（第６の構成）としてもよい。本構成によれば、１箇所ではんだ接続がなされているものに比べて、基板のアースパターンとシャーシとの間の接続点を多く確保することができる。そのためこれら両者間のインピーダンスを低減させることが容易となる。
【００２０】
また上記第１から第６の何れかの構成において、前記受信装置は、前記アナログの映像または音声信号を外部に出力する第２端子を備え、前記基板は、実装面が略長方形であり、前記第１端子は、該実装面の一辺である第１辺に臨むように配置され、前記第２端子は、該第１辺に直交している第２辺から、該第２辺と略直角方向に突出するように配置されている構成（第７の構成）としてもよい。
【００２１】
本構成によれば、例えば図４に示すように、第２端子の折り曲げ状態を調節することで、受信装置を、該端子の接続先に対して立てた状態や寝かせた状態で接続させることが可能となる。また第１端子と第２端子は上記のような配置関係となっているため、受信装置を立てたり寝かせたりした場合であっても第１端子が接続先によって塞がれることがなく、チューナ回路との接続を容易に確保することが可能となる。
【００２２】
また上記第７の構成において、前記基板のアースパターンと前記シャーシは、該基板の片面側のみにおいて、互いにはんだ接続がなされており、前記第２端子は、該片側面のみにおけるはんだ接続によって、前記基板に固定されている構成（第８の構成）としてもよい。
【００２３】
本構成によれば、基板のアースパターンとシャーシとのはんだ接続と、第２端子と基板とのはんだ接続は、互いに基板の同一面においてなされる。そのため、これらのはんだ接続をほぼ同時または連続して行うにあたって、基板を裏返す工程を省略することが可能となり、ひいては受信装置の製造コストを抑えることが可能となる。
【発明の効果】
【００２４】
上述した通り、本発明に係る受信システムによれば、放送信号の処理に用いられる各種装置（より具体的には、デジタル復調回路部、デジタル回路部、映像音声出力回路部、および電源部）は、受信装置において、シャーシに覆われるように配置されている。そのため、これらの装置の配置状態に制約を与えることなく、シャーシのシールド効果によって、チューナ回路にノイズが混入することを極力防止することが可能となる。
【００２５】
またこれら放送信号の処理に用いられる各種装置は、受信装置に設けられているため、映像表示装置には上記の各種装置を備える必要がない。そのため映像表示装置側において、上記の各種装置を設けることに伴う製造コストの増大を抑えることが可能となる。なお第１端子はシャーシに覆われていないため、該端子とチューナ回路との接続は、シャーシによって妨げられないようになっている。
【発明を実施するための最良の形態】
【００２６】
本発明の一実施形態について、放送波を受信する受信システムを挙げて、以下に説明する。なお当該受信システムは、デジタル放送に係る放送波を受信し、この放送内容に係る映像および音声信号を取得する。なおデジタル放送に加えて、アナログ放送に係る放送波を受信できるものとしても良い。
【００２７】
当該受信システムの概略的構成を図１に示す。本図のように受信システム１００は、アンテナ２００、チューナ装置２５０、受信装置３００、および映像表示装置４００等からなる。
【００２８】
チューナ装置２５０は、選局処理を行うチューナ回路部２０１を備えている。また後述するように、アンテナ２００側から放送信号（高周波信号）が入力されるチューナ入力端子５０２、受信装置３００側の受信入力端子５０３に接続され、中間周波数の信号を受信装置側に伝送するためのチューナ出力端子２０２をも備えている。
【００２９】
受信装置３００は、デジタル復調回路部３０２、デジタル回路部３０４、映像音声出力回路３０８、および電源部３０９等が、一枚の基板上に配置されて構成されている。またデジタル復調回路部３０２には、デジタル復調ＩＣ３０３が含まれ、デジタル回路部３０４には、映像音声処理ＩＣ３０５、映像音声処理用メモリ３０６、受信装置の制御コードを保存するプログラム用メモリ３０７が含まれる。また映像表示装置４００は、表示処理部４０１および音声処理部４０２等からなる。
【００３０】
なお受信装置３００において、チューナ回路部２０１の出力側は、デジタル復調ＩＣ３０３の入力側に接続され、デジタル復調ＩＣ３０３の出力側は、映像音声処理ＩＣ３０５の入力側に接続されている。また、映像音声処理用メモリ３０６、受信装置の制御コードを保存するプログラム用メモリ３０７は、映像音声処理ＩＣ３０５に接続されている。
【００３１】
またチューナ回路部２０１、デジタル復調ＩＣ３０３を制御するシリアル制御信号が、映像音声処理ＩＣ３０５に供給される。また電源部３０９は、チューナ回路部２０１、デジタル復調ＩＣ３０３、映像音声処理ＩＣ３０５、映像音声処理用メモリ３０６、プログラム用メモリ３０７、映像音声出力回路３０８の各々に接続され、各接続先に電力を供給する。また映像音声処理ＩＣ３０５の出力側は、映像音声出力回路３０８に接続されている。
【００３２】
以上のような構成により、アンテナ２００により取得された放送信号は、チューナ装置２５０、受信装置３００の順に伝送されるとともに、その過程で所定の処理が施され、放送内容に係る映像および音声信号に変換される。そしてこの映像および音声信号に基づいて、映像表示装置４００にて映像および音声の出力がなされることとなる。ここで放送信号の流れについて、より詳細に説明する。
【００３３】
アンテナ２００は、同軸ケーブルを介して接続されているチューナ装置２５０に、放送波による信号（高周波信号）を伝送する。そしてチューナ装置２５０におけるチューナ回路部２０１は、この高周波信号を所定の周波数で検波し、中間周波数の信号に変換する。この中間周波数の信号は、デジタル復調回路部３０２のデジタル復調ＩＣ３０３に入力され、復調処理が施される。なおかかる復調処理がなされた段階では、圧縮処理（例えばＭＰＥＧ方式によるもの）の施されたデジタルの映像および音声信号となっている。
【００３４】
この復調処理が施された信号は、映像音声処理ＩＣ３０５に入力され、圧縮処理を解除するための処理（圧縮解除処理）が施される。その結果、通常の（圧縮処理の施されていない）デジタルの映像・音声信号が得られる。なお圧縮解除処理には、映像音声処理用メモリ３０６やプログラム用メモリ３０７に格納されている各種情報が用いられる。
【００３５】
得られたデジタルの映像・音声信号は、映像音声出力回路３０８に入力され、アナログの映像・音声信号に変換される。そしてこの映像・音声信号は、映像表示装置４００に入力される。映像表示装置４００における表示処理部４０１は、入力された映像信号に基づいて映像出力を行い、また音声処理部４０２は、入力された音声信号に基づいて、音声出力を行う。
【００３６】
次に、上述した受信装置３００の具体的構成について説明する。図２および図３に、チューナ回路２５０および受信装置３００の構成図を示す。なお、図２は受信装置３００の一方の面（表面）から見たものであり、図３は受信装置３００の他方の面（裏面）から見たものである。
【００３７】
本図に示すように受信装置３００は、実装面が長方形である１枚の基板５０１に、各回路が配置される態様で構成されている。また基板５０１の一辺（図２および図３では、左側に位置する辺）に臨むように、受信入力端子５０３が設けられている。この受信入力端子５０３は、チューナ出力端子２０２と接続され、受信装置３００とチューナ装置２５０とを電気的に接続するための端子である。これによりチューナ装置２５０から出力される放送信号は、当該端子を介して、受信装置３００に入力される。
【００３８】
なお、チューナ装置２５０に相当する装置は、一般的に仕向け地（国や地域）等により仕様や性能が異なっている。この点、本受信システムのように、チューナ装置２５０を受信装置３００に外付けするようになっていれば、チューナ装置を他の仕様のものに変更する場合でも、基本的には受信装置を共通に使用することができる。そのため、チューナの仕様ごとに受信装置を準備するといった必要性がなく、受信システムの製造コストを極力抑えることが可能となっている。
【００３９】
また受信装置３００では、図２および図３における左側から順に、デジタル復調回路部３０２、電源部３０９、デジタル回路部３０４、および映像音声出力回路３０８の各々が配置されている。つまりこれらの装置は、受信入力端子５０３に近い方から、この順に配置されているといえる。
【００４０】
そのため受信装置３００では、入力された放送信号の処理の流れ（デジタル復調回路部３０２、デジタル回路部３０４、映像音声出力回路３０８の順に流れる）に沿った配置となり、放送信号の伝送効率が良いものとなっている。また、デジタル復調回路部３０２とデジタル回路部３０４との間に、電源部３０９を介在させた配置としているから、両者間における電磁的ノイズの抑制が容易なものとなっている。
【００４１】
また基板５０１は多層基板となっている。そしてデジタル回路部３０４については、基板５０１の表側の面に配置されている映像音声処理ＩＣ３０５と、裏側の面に配置されている映像音声処理用メモリ３０６やプログラム用メモリ３０７との配線は、内層パターン配置されている。
【００４２】
また基板５０１は、金属性のシャーシ５０７にほぼ包み込まれる態様で（覆われる態様で）用いられる。このシャーシ５０７は、基板５０１および基板５０１に配置されている各装置が、概ね過不足無く収納できる程度の大きさの直方体となっている。ただし受信入力端子５０３については、シャーシ５０７の外部に位置するようになっている。
【００４３】
シャーシ５０７の形状（直方体）としては、より具体的には、基板５０１の表面側と裏面側に、基板５０１と略平行なフタがそれぞれ設けられている。そして基板５０１の外縁に沿うように、かつ両方のフタを繋ぐように、側壁が設けられている。なお基板５０１とフタとの距離は、基板５０１の裏面側の方が、表面側のものよりも小さくなっている。
【００４４】
このようにシャーシ５０７で覆われた態様となっていることにより、受信装置３００における各回路は、外部から電磁的ノイズの影響を受けにくいものとなっている。また受信入力端子５０３についてはシャーシの外部に位置していることにより、外付けとなるチューナ装置２５０との接続が容易なものとなっている。
【００４５】
また基板５０１の裏側の面において、基板５０１とシャーシ５０７とは、互いに複数箇所（図中の５２０〜５２２）にてはんだ接続がなされている。これにより、デジタル復調回路部３０２とデジタル回路部３０４のデジタルアースパターンは、シャーシ５０７に接続されており、金属性でインピーダンスの低いシャーシ５０７を利用したアースがなされている。なお基板５０１とシャーシ５０７とのはんだ接続は、基板５０１の外縁における全ての辺においてなされるようにしていてもよい。
【００４６】
このようにすることで、シャーシ５０７を電磁的ノイズの混入防止に役立てるだけでなく、各回路のアースとしても利用することが可能となっている。また基板５０１とシャーシ５０７とのはんだ接続がより多くの箇所で施されることにより、両者間の接続点が増え、インピーダンスをより小さくすることが可能となる。
【００４７】
また、はんだ接続が基板５０１の片側の面だけでなされるようにすることで、製造時での当該はんだ接続の工程において、基板５０１を裏返す工程を省略することができる。そのため、製造コストを抑えることが可能となっている。なおはんだ接続が基板５０１の裏側の面でなされるようにすることで、はんだ接続の工程において、はんだ付け装置や工具がシャーシ５０７の側面に接触する可能性を減らし、効率を高めることが可能となる。
【００４８】
またチューナ回路部２０１のアースパターンを受信装置３００側のシャーシ５０７に接続させることで、シャーシ５０７を、チューナ回路部２０１におけるアースとして利用しても良い。また受信装置３００において、例えば図３（ａ）に示すような位置にシールド板５０８を配置させ、シールド板５０８を挟んだ双方において、互いに電磁的ノイズの影響を及ぼさないようにしてもよい。
【００４９】
また基板５０１における外縁の一辺であって、受信入力端子５０３が配置されている辺と直交している辺（つまり、受信入力端子５０３が配置されている辺に対し、Ｌ字の方向となる辺）には、受信装置３００の外部との電気的接続が可能である第１コネクタピン５０４、および第２コネクタピン５０５が、基板５０１から、当該辺に対して直角に突出した状態で設けられている。
【００５０】
これらのコネクタピンは、デジタル復調回路部３０２、電源部３０９、デジタル回路部３０４、および映像音声出力回路３０８に関わる入出力端子として機能するものである。特に第２コネクタピン５０５は、映像音声出力回路３０８から、アナログの映像・音声信号を外部（映像表示装置４００）に出力する機能を備えている。
【００５１】
ここで受信装置３００を映像表示装置４００に接続する場合の形態について、図４（ａ）および図４（ｂ）を参照しながら説明する。なお図４（ａ）は、受信装置３００を映像表示装置４００に対して立てた状態で、映像表示装置４００に接続させた場合を、図４（ｂ）は、受信装置３００を映像表示装置４００に対して寝かせた状態で、映像表示装置４００に接続させた状態を、それぞれ示している。
【００５２】
本図に示すように、受信装置３００を立てた状態で映像表示装置４００に接続する場合は、各コネクタピン（５０４、５０５）は自然に映像表示装置４００と接触する状態となる。そのため、受信装置３００と映像表示装置４００との電気的接続が実現される。
【００５３】
また一方、受信装置３００を寝かせた状態で映像表示装置４００に接続する場合は、各コネクタピン（５０４、５０５）は直角に折り曲げられることにより、映像表示装置４００と接触する状態となる。そのため、このような折り曲げを行うことにより、受信装置３００と映像表示装置４００との電気的接続が実現される。
【００５４】
このように、受信装置３００を立てた状態および寝かせた状態の、何れの状態で映像表示装置４００に接続させる場合であっても、容易に各コネクタピン（５０４、５０５）を映像表示装置４００に接触させることができ、映像表示装置４００との電気的接続が実現される。なお何れの態様であっても、受信入力端子５０３は映像表示装置４００に接触することがなく、チューナ回路部２０１との接続は妨げられない。
【００５５】
なお第１コネクタピン５０４および第２コネクタピン５０５は、はんだ接続によって、基板５０１に固定されている。そしてこのはんだ接続は、基板５０１の裏側の面でなされている。そのため、これらのはんだ接続をほぼ同時または連続して行うにあたって、基板を裏返す工程を省略することが可能となり、ひいては受信装置の製造コストを抑えることが可能となっている。
【００５６】
以上、本発明の実施形態について説明したが、本発明はこの内容に限定されるものではなく、本発明の主旨を逸脱しない限り、種々の改変を加えることが可能である。
【産業上の利用可能性】
【００５７】
本発明は、放送波を受信する受信システムの分野等において利用可能である。
【図面の簡単な説明】
【００５８】
【図１】本発明の実施形態における受信システムの構成に関するブロック図である。
【図２】本発明の実施形態における受信システムの表面側の構成図である。
【図３】本発明の実施形態における受信システムの裏面側の構成図である。
【図４】受信装置を映像表示装置に接続させた状態を示す説明図である。
【図５】従来の受信システムの構成に関するブロック図である。
【符号の説明】
【００５９】
１００    受信システム
２００    アンテナ
２０１    チューナ回路部
２０２    チューナ出力端子
２５０    チューナ装置
３００    受信装置
３０２    デジタル復調回路部
３０３    デジタル復調ＩＣ
３０４    デジタル回路部
３０５    映像音声処理ＩＣ
３０６    映像音声処理用メモリ
３０７    プログラム用メモリ
３０８    映像音声出力回路
３０９    電源部
４００    映像表示装置
４０１    表示処理部
４０２    音声処理部
５０１    基板
５０２    チューナ入力端子
５０３    受信入力端子（第１端子）
５０４    第１コネクタピン
５０５    第２コネクタピン（第２端子）
５０７    シャーシ
５０８    シールド板
５２０〜５２２    はんだ接続がなされている箇所
【図１】
2008219456.tif 000003
【図２】
2008219456.tif 000004
【図３】
2008219456.tif 000005
【図４】
2008219456.tif 000006
【図５】
2008219456.tif 000007